(57)【特許請求の範囲】
【請求項１】
雄実と雌実とを結合させる実結合によって床材の端部どうしを接合させる際の端部の処理方法であって、該雄実を構成する凸部の上部垂下面と上部水平面および該雌実を構成する凹部の内部上面と上部端面とにそれぞれシーリング剤を塗布する治具を用いてプレコートを行う床材端部のシーリング処理方法において、上記雄実を構成する凸部の上部垂下面と上部水平面とにシーリング剤を塗布する雄実用治具が、上記凸部を受けるとともに、上記凸部の突出面と下部水平面と下部垂下面とを封止する封止部を有し、かつ、上記封止部より斜め上方へ広がって立ち上がる斜壁部が設けられ、シーリング剤を含浸し、塗布する塗布部が該斜壁部に設けられたものである床材端部のシーリング処理方法。
【請求項２】
雄実と雌実とを結合させる実結合によって床材の端部どうしを接合させる際の端部の処理方法であって、該雄実を構成する凸部の上部垂下面と上部水平面および該雌実を構成する凹部の内部上面と上部端面とにそれぞれシーリング剤を塗布する治具を用いてプレコートを行う床材端部のシーリング処理方法において、上記雌実を構成する凹部の内部上面と上部端面とにシーリング剤を塗布する雌実用治具が、ベース部と雌実塗布部とからなり、該雌実塗布部は凹部に挿入され、シーリング剤を含浸し、該凹部の内部上面を塗布する含浸転写部と該含浸転写部に連設され、シーリング剤を含浸し、上記凹部の上部端面を塗布するとともに、上記含浸転写部にシーリング剤を供給する端面塗布部とからなるものである床材端部のシーリング処理方法。
【請求項３】
上記雄実用治具の塗布部がフェルトからなる請求項１記載の床材端部のシーリング処理方法。
【請求項４】
上記雌実用治具の含浸転写部がパルプからなり、端面塗布部がフェルトからなる請求項２記載の床材端部のシーリング処理方法。
【発明の詳細な説明】
【技術分野】
【０００１】
本願発明は、床材の表面処理方法に関し、さらに詳しくは、雄実と雌実とからなる実結合部を有する床材の端部どうしを接合する際の端部の処理方法に関するものである。
【背景技術】
【０００２】
近年、和風住宅においても木質系フローリング材を敷き詰めてフローリングを行い、洋風の住宅空間、例えば、リビングルームを設けることが一般的に行われている。上記木質系フローリング材としては、通常、厚み６〜１５ｍｍ程度の天然木材のムク板や、厚み６〜１５ｍｍ程度の積層合板等の木質系基材上に、厚み数百μｍないし数ｍｍ程度の天然木材の突き板を貼着したもの、あるいはそれらの塗装品が用いられている。
【０００３】
上記木質系フローリング材は、リビングルーム以外にも浴室脱衣所や洗面所、キッチンルーム等にも使用される。しかしながら、木質系なるが故に、本質的に耐水性に劣り、床面が水に濡れる機会の多い洗面所、キッチンルーム等に使用されると、水分が突き板層やその下の木質系基材にしみ込み易く、突き板層の膨れや木質系基材からの剥離、床材全体としての反り等が発生し易いという問題がある。
【０００４】
特に、木質系フローリング材を敷き詰めたとき、床材どうしの接合部分から水がしみこみ易く、その対策として継ぎ目に合成樹脂等によるシーリング処理を施すことが行われている。しかし、この方法では、床面に多数敷き詰めた床材の相互間のすべての継ぎ目に、施工現場でシーリング処理を施す必要が生じ、非常に手間がかかり、施工コストが上昇し、施工期間が長期化するという問題がある。
【０００５】
上記した問題を解決するため、特開２００３−４９５３０号公報には、その図２に示されているように、平板状の床材用基材の上面に、熱可塑性樹脂製の化粧シートが積層されてなる床材において、前記化粧シートが、前記床材用基材の上面から、前記床材用基材の全外周における側面の少なくとも上側の一部にかけて、連続して積層されてなることを特徴とする床材およびその製造方法が開示されている。
【特許文献１】特開２００３−４９５３０号公報
【発明の開示】
【発明が解決しようとする課題】
【０００６】
しかしながら、上記特許文献１に記載の床材においては、平板状の床材用基材の上面に化粧シートを真空成形法またはソフトラッピング法により積層されているため、木質感に劣ったものとなり、また、経年劣化により、床材用基材から化粧シートの剥がれや膨れが生じるという問題がある。本願発明は、上記背景技術に鑑みてなしたものであり、その目的とするところは、木質系フローリング材の天然木調の色調や木目模様等の特性を活かしながら、接合部からの水の浸入を防止することのできる床材端部のシーリング処理方法を提供することである。
【課題を解決するための手段】
【０００７】
上記課題を解決するために、本願発明に係る床材端部のシーリング処理方法は、雄実と雌実とを結合させる実結合によって床材の端部どうしを接合させる際の端部の処理方法であって、該雄実を構成する凸部の上部垂下面と上部水平面および該雌実を構成する凹部の内部上面と上部端面にそれぞれシーリング剤を塗布する治具を用いてプレコートを行うことを特徴としている。
【０００８】
本願請求項１記載の発明は、上記床材端部のシーリング処理方法において、上記雄実を構成する凸部の上部垂下面と上部水平面とにシーリング剤を塗布する雄実用治具が、上記凸部を受けるとともに、上記凸部の突出面と下部水平面と下部垂下面とを封止する封止部を有し、かつ、上記封止部より斜め上方へ広がって立ち上がる斜壁部が設けられ、シーリング剤を含浸し、塗布する塗布部が該斜壁部に設けられたものであることを特徴としている。
【０００９】
本願請求項２記載の発明は、上記床材端部のシーリング処理方法において、上記雌実を構成する凹部の内部上面と上部端面とにシーリング剤を塗布する雌実用治具が、ベース部と雌実塗布部とからなり、該雌実塗布部は凹部に挿入され、シーリング剤を含浸し、該凹部の内部上面を塗布する含浸転写部と該含浸転写部に連設され、シーリング剤を含浸し、上記凹部の上部端面を塗布するとともに、上記含浸転写部にシーリング剤を供給する端面塗布部とからなるものであることを特徴としている。
【００１０】
本願請求項３記載の発明は、上記請求項１記載の床材端部のシーリング処理方法において、上記雄実用治具の塗布部がフェルトからなることを特徴としている。
【００１１】
本願請求項４記載の発明は、上記請求項２記載の床材端部のシーリング処理方法において、上記雌実用治具の含浸転写部がパルプからなり、端面塗布部がフェルトからなることを特徴としている。
【発明の効果】
【００１２】
本願発明に係る床材端部のシーリング処理方法においては、床材の端部どうしを実結合させる際、雄実を構成する凸部の上部垂下面と上部水平面、および雌実を構成する凹部の内部上面と上部端面とにそれぞれシーリング剤を塗布する治具を用いてプレコートが行われるため、現場施工の際、床材表面にマスキングテープを貼り付ける等の養生を行ってシリコーン系等、撥水効果のあるシーリング剤を塗布する工程を省くことができる。そして、工場で予め、端部がシーリング処理された床材を用いるため、作業を簡略化することが可能となり、作業性よく、フローリング施工を行うことができる。
【００１３】
本願請求項１記載の発明に係る床材端部のシーリング処理方法においては、特に、雄実用治具が上記凸部の突出面と下部水平面と下部垂下面とを封止する封止部と上記封止部から立ち上がる斜壁部とを有し、該斜壁部にシーリング剤を含浸し、塗布する塗布部が設けられているため、この塗布部が上記凸部の上部垂下面と上部水平面とにのみ接触し、シーリング剤を塗布し、浸み込ませることができる。その結果、雄実の床面側のみにシーリング剤がプレコートされているため、フローリングを施工したとき、床面側からの水分の浸入を防ぐことができる。
【００１４】
本願請求項２記載の発明に係る床材端部のシーリング処理方法においては、特に、雌実用治具が、雌実を構成する凹部に挿入され、該凹部の内部上面にシーリング剤を含浸し、塗布する含浸転写部を含んでなり、上記凹部の内部上面にシーリング剤をプレコートすることができる。
【００１５】
一方、端面塗布部は含浸転写部に連設され、上記凹部の上部端面にシーリング剤を含浸、塗布するとともに、上記含浸転写部にシーリング剤を浸透させて供給することにより、含浸転写部は、常に端面塗布部からシーリング剤が供給され、含浸転写部に達したシーリング剤は、毛管現象により含浸転写部内を上昇し、上記凹部の内部上面に接触し、浸透してプレコートすることができる。その結果、雌実の床面側のみにシーリング剤がプレコートされているため、フローリングを施工したとき、床面側からの水分の浸入を防ぐことができる。
【００１６】
本願請求項３記載の発明に係る床材端部のシーリング処理方法においては、特に、雄実用治具のシーリング剤含浸材がフェルトからなるため、フェルトが塗布手段として機能し、雄実を構成する凸部の上部垂下面と上部水平面とにシーリング剤をムラなくプレコートすることができる。
【００１７】
本願請求項４記載の発明に係る床材端部のシーリング処理方法においては、特に、上記
雌実用治具の含浸転写部がパルプからなり、端面塗布部がフェルトからなるため、フェルトが塗布手段として機能し、凹部の上部端面を塗布するとともに、シーリング剤を含浸する含浸材としても機能し、常にシーリング剤を含浸転写部に供給することができる。
【発明を実施するための最良の形態】
【００１８】
図１は、本願発明に係る床材端部のシーリング処理方法において、床材の一端部である雄実を処理する方法を説明する分解斜視図である。図１に示すように、床材１は一端部に雄実が凸設され、他の端部は雌実とされている。本実施形態においては、雄実を構成する凸部１１の上部垂下面１１１と上部水平面１１２とが、雄実用治具Ａによってその表面にシーリング材がプレコートされ、撥水処理される。
【００１９】
上記雄実用治具Ａは、図１に示すように、上記凸部１１を受けるとともに、凸部１１の突出面１１３と下部水平面１１４と下部垂下面１１５とを封止する封止部２を有し、封止部２より斜め上方へ広がって立ち上がる斜壁部２１が設けられている。また、上記斜壁部２１にはフェルトをパッド状に成形してなり、シーリング剤を含浸して塗布する塗布部３が配設され、この塗布部３は固定部４によって固定されるとともに、シーリング剤供給容器８からシーリング剤７が供給される。すなわち、シーリング剤供給容器８のノズル８１は塗布部３の上を往復するとともに、ノズル８１から吐出されたシーリング剤７は塗布部３によって吸収され、常に湿潤状態に保たれている。
【００２０】
図２は、本願発明に係る床材端部のシーリング処理方法において、雄実を処理する方法を説明する側面図である。図２に示すように、雄実用治具Ａの封止部２により、雄実の凸部１１の突出面１１３と下部水平面１１４と下部垂下面１１５とは、シーリング剤７が浸透することのないようにしっかりと封止されている。このようにすることによって、塗布部３は、上記凸部１１の上部垂下面１１１と上部水平面１１２とにのみ接触し、シーリング剤７を塗布し、浸み込ませてプレコートすることができる。
【００２１】
図３は、本願発明に係る床材端部のシーリング処理方法において、図１において雌実として示された凹部１２を処理する方法を説明する側面図である。図３に示すように、雌実用治具Ｂは、ベース部５と雌実塗布部６とからなり、雌実塗布部６は、上記凹部１２に挿入され、凹部１２の内部上面１２２を塗布する含浸転写部６２と、凹部１２の上部端面１２１にシーリング剤７を塗布する端面塗布部６１とから構成されている。
【００２２】
図３に示されるように、上記ベース部５の端部は階段状に切り欠かれ、端面塗布部６１は上段に配置され、含浸転写部６２は下段に配置され、端面塗布部６１と含浸転写部６２とは連設されている。すなわち、フェルトからなる端面塗布部６１は凹部１２の上部端面１２１にシーリング剤７を塗布するとともに、パルプからなる含浸転写部６２にシーリング剤７を供給する。
【００２３】
ここで、フェルトからなる端面塗布部６１は、図２に示す場合と同様に、シーリング剤供給容器８から供給されるシーリング剤７によって湿潤状態に保たれ、凹部１２の上部端面１２１に接触してシーリング剤７を塗布し、浸み込ませる。
【００２４】
一方、含浸転写部６２はパルプからなり、上記したように、端面塗布部６１に連設されているため、端面塗布部６１を構成するフェルトを浸透し、含浸転写部６２に達したシーリング剤７は、毛管現象によりパルプからなる含浸転写部６２を上昇し、上記凹部１２の内部上面１２２に達し、シーリング剤７を浸み込ませ、プレコートする。
【００２５】
図４（ａ）、図４（ｂ）は、上記のようにして、シーリング剤７がプレコートされた雄実と雌実とを模式的に示す説明図である。図４（ａ）に示すように、雄実を構成する凸部１１の上部垂下面１１１と上部水平面１１２とはシーリング剤７を塗布してプレコートされ、また、雌実を構成する凹部１２の内部上面１２２と凹部１２の上部端面１２１とはシーリング剤７を塗布してプレコートされている。
【００２６】
図４（ｂ）は、上記のようにして、シーリング剤７をプレコートされた雄実と雌実とを実結合した状態を示す説明図である。図４（ｂ）に示すように、実結合の床面側をシーリング剤７でプレコートすることにより、施工現場で接合部の両側をマスキングしてシーリング剤７を塗布するという手間の掛かる作業を行うことなく、簡単に床材どうしを接合できる。また、床面に水をこぼしたとき等、実結合部の床面側が撥水処理されているため、床材端部の接合部から水分が床材内部へ浸透するのを防ぐことができる。
【００２７】
なお、上記した実施形態においては、フェルトとパルプを用いた例を述べたが、フェルトに替えて不織布を用いてもよい。また、パルプに替えて他の多毛体、例えば、毛布等を用いてもよい。また、床材１の敷設時において、それぞれの実部におけるシーリング剤７が塗布されていない面間に接着剤を介在させてもよい。このように、本願発明は設計変更自在であり、特許請求の範囲を逸脱しない限り、本願発明の技術的範囲に属する。
【図面の簡単な説明】
【００２８】
【図１】本願発明に係る床材端部のシーリング処理方法において、床材の一端部である雄実を処理する方法を説明する分解斜視図。
【図２】本願発明に係る床材端部のシーリング処理方法において、雄実を処理する方法を説明する側面図。
【図３】本願発明に係る床材端部のシーリング処理方法において、雌実として示された凹部を処理する方法を説明する側面図。
【図４】（ａ）は本願発明の方法によりシーリング剤がプレコートされた雄実と雌実とを模式的に示す説明図、（ｂ）は本願発明の方法によりシーリング剤をプレコートされた雄実と雌実とを実結合した状態を示す説明図。
【符号の説明】
【００２９】
１      床材
１１    凸部
１１１  上部垂下面
１１２  上部水平面
１１３  突出面
１１４  下部水平面
１１５  下部垂下面
１２    凹部
１２１  上部端面
１２２  内部上面
Ａ      本願発明にかかる雄実用治具
２      封止部
２１    斜壁部
３      塗布部
４      固定部
Ｂ      本願発明にかかる雌実用治具
５      ベース部
５１    固定部
６      雌実塗布部
６１    端面塗布部
６２    含浸転写部
７      シーリング剤
８      シーリング剤供給容器
８１    ノズル
【図１】
0005012523.tif 000002
【図２】
0005012523.tif 000003
【図３】
0005012523.tif 000004
【図４】
0005012523.tif 000005